(57)【特許請求の範囲】
【請求項１】
インバータ駆動される圧縮機を備えた空気調和装置において、
前記インバータに対してインバータ駆動波形信号を出力して制御するマイコンを備え、
前記インバータを駆動するための電源供給ライン上に配設され、前記圧縮機の吐出側配管に配設された圧力スイッチの切り替わり動作に連動して変化する異常信号を前記インバータ制御マイコンに出力するとともに、前記圧力スイッチの切り替わり動作に連動して前記電源供給ラインを切断する電源切替手段を設け、
前記マイコンは、前記異常信号の状態を監視し、前記異常信号の状態に基づいてインバータ駆動波形信号の出力を変化させることを特徴とする空気調和装置。
【請求項２】
前記圧力スイッチは、前記圧縮機の吐出側配管における圧力が所定の圧力を超えた場合にオフに切り替わるスイッチであることを特徴とする請求項１記載の空気調和装置。
【請求項３】
前記電源切替手段は、前記圧力スイッチの切り替わりから所定の時間が経過した後に、前記電源供給ラインを切断することを特徴とする請求項１または２に記載の空気調和装置。
【請求項４】
前記電源切替手段は、前記圧力スイッチが復帰した場合に、前記電源供給ラインを接続させることを特徴とする請求項１から３のいずれかに記載の空気調和装置。
【発明の詳細な説明】
【技術分野】
【０００１】
本発明は、インバータ駆動される圧縮機を備えた空気調和装置に関する。
【背景技術】
【０００２】
従来、空気調和装置においてはマイコンを用いた制御が広く用いられている。マイコン制御の空気調和装置は、例えば、電流センサや温度センサ等の各種センサにより異常な値が検出された場合に、この異常に対応して圧縮機を停止させ、その後に異常部位や異常の程度を判定する機能を備えている（例えば、特許文献１参照。）。
【特許文献１】特開２００４−２０５１１８号公報
【発明の開示】
【発明が解決しようとする課題】
【０００３】
ところで、マイコン制御の空気調和装置において、マイコンの動作自体に異常が発生した場合には、空気調和装置の被制御部（例えば、圧縮機）の動作に異常が発生しても、この異常に対応することが困難になるという問題があった。マイコンの動作異常は極めて希であるものの、マイコンを動作させる制御プログラムのバグ等により発生する可能性が否定できない。このため、マイコンの動作に異常が発生した場合であっても、被制御部の異常に対応できるようにすることが望まれていた。
【０００４】
本発明は、上述した事情に鑑みてなされたものであり、マイコン等により制御される空気調和装置において、制御に異常が発生していても、被制御部において発生した異常に対応できるようにすることを目的としている。
【課題を解決するための手段】
【０００５】
上記課題を解決するため、本発明は、インバータ駆動される圧縮機を備えた空気調和装置において、前記インバータに対してインバータ駆動波形信号を出力して制御するマイコンを備え、前記インバータを駆動するための電源供給ライン上に配設され、前記圧縮機の吐出側配管に配設された圧力スイッチの切り替わり動作に連動して変化する異常信号を前記インバータ制御マイコンに出力するとともに、前記圧力スイッチの切り替わり動作に連動して前記電源供給ラインを切断する電源切替手段を設け、前記マイコンは、前記異常信号の状態を監視し、前記異常信号の状態に基づいてインバータ駆動波形信号の出力を変化させることを特徴としている。
この構成によれば、圧縮機の吐出側配管に配設された圧力スイッチが、例えば所定の圧力を超える高圧を検出して切り替わった場合に、この切り替わり動作に連動してインバータの駆動電源が切断されるので、インバータを駆動するマイコン等による制御を経ることなく、インバータ自体を停止させて、圧縮機を安全かつ速やかに停止させることができる。また、圧縮機自体の電源でなくインバータの駆動電源を切断するので、低電圧の電源をスイッチングする回路として容易に実現可能である。
【０００６】
本発明において、前記圧力スイッチは、前記圧縮機の吐出側配管における圧力が所定の圧力を超えた場合にオフに切り替わるスイッチとしてもよい。
【０００８】
さらに、前記電源切替手段は、前記圧力スイッチの切り替わりから所定の時間が経過した後に、前記電源供給ラインを切断する構成としてもよい。
【０００９】
また、前記電源切替手段は、前記圧力スイッチが復帰した場合に、前記電源供給ラインを接続させる構成としてもよい。
【発明の効果】
【００１０】
本発明によれば、圧縮機の吐出側配管に配設された圧力スイッチが、例えば所定の圧力を超える高圧を検出して切り替わった場合に、マイコン等による制御を経ることなく、インバータ駆動の圧縮機を停止させることができるので、例えば空気調和装置を制御するマイコン等に動作の異常が生じた場合であっても、配管の圧力の異常に対応して圧縮機を確実に停止させることができ、高い信頼性を確保できる。
【発明を実施するための最良の形態】
【００１１】
以下、図面を参照しつつ本発明の実施形態について説明する。
図１は、本発明の実施形態に係る空気調和装置１の回路図である。
この空気調和装置１は、ガス管５及び液管７を備えてなるユニット間配管９に、室外ユニット１Ａ、１Ｂが並列に接続されると共に、室内ユニット３Ａ、３Ｂが並列に接続されて構成される。
【００１２】
室外ユニット１Ａは、能力一定型の圧縮機１０Ａと、インバータ駆動される能力可変型の圧縮機１０Ｂとを備え、圧縮機１０Ａ、１０Ｂは並列接続され、圧縮機１０Ａ、１０Ｂの吸込側には吸込管２０Ａが接続され、この吸込管２０Ａにはアキュムレータ１１Ａが接続され、吐出側には吐出管２１Ａが接続され、この吐出管２１Ａにはオイルセパレータ１２Ａを介して四方弁１３Ａが接続される。さらに、四方弁１３Ａに接続された室外冷媒配管１８Ａには、室外熱交換器１４Ａ、室外膨張弁１５Ａ及びレシーバタンク１６Ａが順次接続される。
また、室外ユニット１Ａは、吐出管２１Ａとレシーバタンク１６Ａの上部とを接続するバイパス管２２Ａを備え、このバイパス管２２Ａには制御弁２５Ａが設けられる。この制御弁２５Ａは、例えば、常閉型の電磁弁が適用される。室外熱交換器１４Ａには、この室外熱交換器１４Ａへ送風する室外ファン１７Ａが隣接して配置されている。
【００１３】
室外ユニット１Ｂは、能力一定型の圧縮機（ＡＣ圧縮機）１０Ｃの吸込管２０Ｂにアキュムレータ１１Ｂが接続され、吐出管２１Ｂにオイルセパレータ１２Ｂを介して四方弁１３Ｂが接続され、さらに、四方弁１３Ｂに接続された室外冷媒配管１８Ｂに、室外熱交換器１４Ｂ、室外膨張弁１５Ｂ及びレシーバタンク１６Ｂが順次接続される。また、室外ユニット１Ｂは、吐出管２１Ｂとレシーバタンク１６Ｂの上部とを接続するバイパス管２２Ｂを備え、このバイパス管２２Ｂには制御弁２５Ｂが設けられる。この制御弁２５Ｂは、例えば、常閉型の電磁弁が適用される。室外熱交換器１４Ｂには、この室外熱交換器１４Ｂへ送風する室外ファン１７Ｂが隣接して配置されている。
【００１４】
室内ユニット３Ａは、室内冷媒配管３９Ａに室内膨張弁３８Ａ及び室内熱交換器３４Ａが順次接続され、この室内冷媒配管３９Ａの一端がガス管５に、他端が室内熱交換器３４Ａ、室内膨張弁３８Ａを介して液管７にそれぞれ接続される。室内熱交換器３４Ａには、この室内熱交換器３４Ａへ送風する室内ファン３７Ａが隣接して配置される。室内機３Ｂは、室内機３Ａと同一の構成であるので、説明を省略する。
【００１５】
圧縮機１０Ａ、１０Ｂ、１０Ｃは、図２に示すように、圧縮機１０Ａが４馬力（ｐｓ）の能力一定定格圧縮機であり、圧縮機１０Ｂが空調負荷に応じて能力（回転数）を可変に制御できる６馬力の能力可変インバータ圧縮機であり、圧縮機１０Ｃが１０馬力の能力一定定格圧縮機である。従って、室外ユニット１Ａは１０馬力の能力可変型の室外ユニットとなり、室外ユニット１Ｂは１０馬力の能力一定型（定格）の室外ユニットとなっている。
【００１６】
そして、圧縮機１０Ａ、１０Ｂの吐出側配管には高圧スイッチ５１Ａ（圧力スイッチ）が配設され、圧縮機１０Ｃの吐出側配管には高圧スイッチ５１Ｂが配設される。
これら高圧スイッチ５１Ａ、５１Ｂは、平常時は設定がオンであり、当該吐出側配管における圧力が予め定められた圧力の基準を超えた場合に、接点がオフに切り替わるスイッチである。これら高圧スイッチ５１Ａ、５１Ｂのオン／オフに応じて、圧縮機１０Ａ、１０Ｂ、１０Ｃの動作が制御される。
【００１７】
一方、室内ユニット３Ａ、３Ｂは図１では２つしか示されていないものの、実際は多数の室内ユニットが設けられ、これらの室内ユニットの馬力の合計が２０馬力となるようにしている。例えば、室内ユニット３Ａは５馬力、室内ユニット３Ｂは４馬力、図示しない室内ユニットの合計馬力は１１馬力とされる。
【００１８】
この空気調和装置１において、冷房運転時には、図１に示すように、四方弁１３Ａ、１３Ｂが点線の位置（冷房運転時の位置）に切り替えられる。圧縮機１０Ａ、１０Ｂ、１０Ｃから吐出された冷媒は、点線矢印で示すように、オイルセパレータ１２Ａ、１２Ｂ、四方弁１３Ａ、１３Ｂを経た後、室外熱交換器１４Ａ、１４Ｂに入り、ここで凝縮した後、室外膨張弁１５Ａ、１５Ｂ及びレシーバタンク１６Ａ、１６Ｂを経て、液管７を流れ、室内ユニット３Ａ、３Ｂに流入する。
室内ユニット３Ａ、３Ｂに流入した冷媒は、室内膨張弁３８Ａ、３８Ｂ、室内熱交換器３４Ａ、３４Ｂに入り、ここで蒸発した後、ガス管５を流れ、各室外ユニット１Ａ、１Ｂに分流する。そして、その分流した冷媒は、四方弁１３Ａ、１３Ｂ、アキュムレータ１１Ａ、１１Ｂを経て、圧縮機１０Ａ、１０Ｂ、１０Ｃに戻される。
【００１９】
暖房運転時には、四方弁１３Ａ、１３Ｂが実線の位置（暖房運転時の位置）に切り替えられる。圧縮機１０Ａ、１０Ｂ、１０Ｃから吐出された冷媒は、実線矢印で示すように、オイルセパレータ１２Ａ、１２Ｂ、四方弁１３Ａ、１３Ｂを経た後、ガス管５を流れ、各室内ユニット３Ａ、３Ｂに流入する。
各室内ユニット３Ａ、３Ｂに流入した冷媒は、室内熱交換器３４Ａ、３４Ｂに入り、ここで凝縮した後、室内膨張弁３８Ａ、３８Ｂを経て、液管７を流れ、各室外ユニット１Ａ、１Ｂに分流する。そして、その分流した冷媒は、レシーバタンク１６Ａ、１６Ｂ及び室外膨張弁１５Ａ、１５Ｂを経て、室外熱交換器１４Ａ、１４Ｂに入り、ここで蒸発した後、四方弁１３Ａ、１３Ｂ、アキュムレータ１１Ａ、１１Ｂを経て、圧縮機１０Ａ、１０Ｂ、１０Ｃに戻される。
【００２０】
空気調和装置１は、室内ユニット３Ａ、３Ｂが配置された室内の温度（室内ユニット３Ａ、３Ｂの吸込空気の温度）を測定する温度センサ４０Ａ、４０Ｂと、室外温度（室外ユニット１Ａ、１Ｂの吸込空気の温度）を測定する温度センサ４１Ａ、４１Ｂと、室内ユニット３Ａ、３Ｂの吹出空気の温度を測定する温度センサ４２Ａ、４２Ｂ等を備え、これらセンサの信号はコントローラ１００に出力される。
【００２１】
コントローラ１００は、上記センサからの信号等に基づいて室外ユニット１Ａ、１Ｂ及び室内ユニット３Ａ、３Ｂの運転制御を行う。具体的には、コントローラ１００は、室外ユニット１Ａ、１Ｂの合計出力を１〜６ｐｓの範囲で制御するには、図２を参照して、室外ユニット１Ａの能力可変圧縮機１０Ｂを運転して、その可変範囲内で制御する。
また、コントローラ１００は、合計出力を７〜１０ｐｓの範囲で制御するには、室外ユニット１Ａの能力一定の圧縮機１０Ａ（４ｐｓ）を運転させた上、残りの３〜６ｐｓを能力可変圧縮機１０Ｂの運転により制御する。
また、コントローラ１００は、合計出力を１１〜１６ｐｓの範囲で制御するには、室外ユニット１Ｂの能力一定の圧縮機１０Ｃ（１０ｐｓ）を運転しっ放しにして、残りの１〜６ｐｓを室外ユニット１Ａの能力可変圧縮機１０Ｂの運転により制御する。
さらに、コントローラ１００は、合計出力を１７〜２０ｐｓの範囲で制御するには、室外ユニット１Ｂの能力一定の圧縮機１０Ｃ（１０ｐｓ）、及び室外ユニット１Ａの能力一定の圧縮機１０Ａ（４ｐｓ）を運転しっ放しにして、残りの３〜６ｐｓを室外ユニット１Ａの能力可変圧縮機１０Ｂの運転により制御する。
【００２２】
ところで、室内ユニット３Ａ、３Ｂにおける負荷が急峻に増大した場合や、圧縮機１０Ａ、１０Ｂ、１０Ｃの動作に異常が生じた場合等に、圧縮機１０Ａ、１０Ｂ、１０Ｃの吐出側圧力が増大することがある。この吐出側圧力が上記基準を超えた場合、上述した高圧スイッチ５１Ａ、５１Ｂがオフに切り替わる。空気調和装置１は、高圧スイッチ５１Ａ、５１Ｂの切り替わりに応じて、圧縮機１０Ａ、１０Ｂ、１０Ｃを停止させる動作を行う。
【００２３】
具体的に説明すると、能力一定型の圧縮機１０Ａ、１０Ｃは、後述するコントローラ１００の制御に従って電源装置（図示略）からの電源電流がオン／オフされることにより、駆動／停止する。ここで、圧縮機１０Ａ、１０Ｃに対する電源供給ラインにはマグネットスイッチ（図示略）が配設されており、このマグネットスイッチは高圧スイッチ５１Ａ、５１Ｂがオフに切り替わる際に、高圧スイッチ５１Ａ、５１Ｂに連動して切断される機構を有する。従って、高圧スイッチ５１Ａ、５１Ｂがオフに切り替わった場合、上記マグネットスイッチの動作によって圧縮機１０Ａ、１０Ｃに対する電源供給が停止するので、圧縮機１０Ａ、１０Ｃが停止する。
【００２４】
これに対し、圧縮機１０Ｂは、コントローラ１００の制御に従ってインバータにより駆動される。
図２は、圧縮機１０Ｂを駆動するための構成を示す図であり、特に、圧縮機駆動制御部５０の機能的構成を示す図である。
圧縮機１０Ｂを駆動するインバータ５３はマイコン５２（制御手段）に接続されている。マイコン５２は、コントローラ１００の制御に従って、インバータ５３に対してインバータ駆動波形信号ＤＳを出力し、このインバータ駆動波形信号ＤＳに従ってインバータ５３が動作する。インバータ５３は、電源回路５４から供給されるインバータ駆動電圧が供給される。電源回路５４は、圧縮機１０Ｂを含む空気調和装置１の各部に電源（例えば、交流２００ボルト）を供給する電源装置（図示略）とは異なり、例えば５ボルトの直流電圧を供給する。
【００２５】
そして、マイコン５２には、スイッチ応答回路５５（電源切替手段）を介して高圧スイッチ５１Ａが接続されており、高圧スイッチ５１Ａが基準を超えた圧力を検出してオフに切り替わった場合、これに応答してスイッチ応答回路５５から異常信号ＦＳ（制御信号）がマイコン５２に入力される。マイコン５２は、この異常信号ＦＳが入力されたことを検出すると、インバータ５３に対して出力するインバータ駆動波形信号ＤＳを変化させて、圧縮機１０Ｂを停止させる。
【００２６】
さらに、スイッチ応答回路５５は、電源回路５４からインバータ５３に達するインバータ駆動電圧の供給ライン上に配設され、高圧スイッチ５１Ａがオフに切り替わると、この供給ラインを切断して、インバータ５３へのインバータ駆動電圧の供給を強制的に切断する。
【００２７】
図３は、スイッチ応答回路５５の具体的な構成例を示す回路図である。なお、図３には、理解の便宜を図るため、マイコン５２およびインバータ５３を図示する。
【００２８】
図３に示すように、スイッチ応答回路５５は、高圧スイッチ５１Ａのオン／オフに応じてオン／オフされるフォトカプラＰＣ１、フォトカプラＰＣ１のオン／オフに応じてマイコン５２に出力する異常信号ＦＳのレベルを切り替えるトランジスタＴＲ１、インバータ５３に対して供給されるインバータ駆動電圧Ｖｃｃのオン／オフを切り替えるトランジスタＴＲ２、トランジスタＴＲ１の状態に応じて、トランジスタＴＲ２をオン／オフさせる抵抗内蔵型のトランジスタＢＲＴ１、ＢＲＴ２等の各部を備える。
【００２９】
詳細に説明すると、スイッチ応答回路５５は、高圧スイッチ５１Ａに抵抗Ｒ１を介して接続されたフォトカプラＰＣ１を備え、このフォトカプラＰＣ１を介して、高圧スイッチ５１Ａを含む交流２００ボルトの回路と、スイッチ応答回路５５の他の各部を含む直流５ボルトの回路とが連結される。
【００３０】
フォトカプラＰＣ１の発光ダイオードは、逆向きのダイオードＤ１および抵抗Ｒ２と並列に接続され、高圧スイッチ５１Ａがオンのとき発光する。
一方、フォトカプラＰＣ１の受光側の一端には５ボルトの直流電圧が印加され、他端には抵抗Ｒ３を介してコンデンサＣ１の一端が直列接続される。コンデンサＣ１の他端は接地される。フォトカプラＰＣ１の発光ダイオードが発光している間はフォトカプラＰＣ１の受光側に電流が流れ、コンデンサＣ１が充電される。
【００３１】
また、コンデンサＣ１の一端には、抵抗Ｒ４を介して、ＮＰＮ型のトランジスタＴＲ１のベースが接続される。このトランジスタＴＲ１のコレクタには抵抗Ｒ６を介して５ボルトの直流電圧が印加され、ベース−エミッタは外部の抵抗Ｒ５を介して接続され、エミッタは接地される。
さらに、トランジスタＴＲ１のコレクタには、インバータ５３に繋がる信号ラインが接続されている。この信号ラインの電圧は、異常信号ＦＳとしてマイコン５２に入力され、当該信号ラインの電圧すなわち異常信号ＦＳがLowレベルのとき、マイコン５２は正常運転中と判別し、異常信号ＦＳがHighレベルのとき、マイコン５２は高圧スイッチ５１Ａが、基準を超える圧力を検出してオフになったと判別する。
【００３２】
また、トランジスタＴＲ１のコレクタには、抵抗Ｒ７を介して、ＮＰＮ型のトランジスタＢＲＴ１のベースが接続される。トランジスタＢＲＴ１のエミッタは接地され、コレクタには抵抗Ｒ８を介して５ボルトの直流電圧が印加される。
トランジスタＢＲＴ１のコレクタには、ダイオードＤ２のカソード側が接続され、ダイオードＤ２のアノード側は、ＰＮＰ型のトランジスタＢＲＴ２のベースに接続される。
トランジスタＢＲＴ２のエミッタには５ボルトの直流電圧が印加され、コレクタは抵抗Ｒ９を介して接地される。
さらに、トランジスタＢＲＴ２のコレクタは、抵抗Ｒ１０を介してトランジスタＴＲ２のベースに接続される。トランジスタＴＲ２のエミッタには５ボルトの直流電圧が印加され、エミッタ−ベース間は外部の抵抗Ｒ１１を介して接続される。そして、トランジスタＴＲ２のコレクタはインバータ５３に接続され、この接続ラインを介して、インバータ５３にインバータ駆動電圧Ｖｃｃが供給される。この接続ラインは抵抗Ｒ１２を介して接地される。
【００３３】
このスイッチ応答回路５５の動作は、次の通りである。
高圧スイッチ５１Ａがオンの状態では、フォトカプラＰＣ１が内蔵する発光ダイオードが発光し、フォトカプラＰＣ１の受光側がオンとなる。これによりコンデンサＣ１が充電されるとともに、トランジスタＴＲ１がオンとなってコレクタ−エミッタ電流が流れる。
この状態では、トランジスタＴＲ１のコレクタの電位に一致する異常信号ＦＳはLowレベルになり、マイコン５２に対してはLowレベルの異常信号ＦＳが出力される。
ここで、フォトカプラＰＣ１の発光ダイオードには交流電圧が印加されるので、その発光は間欠的になる。この間欠的な発光中の非発光時間においては、フォトカプラＰＣ１の受光側に電流が流れないが、非発光時間が短時間であれば、コンデンサＣ１からトランジスタＴＲ１のベースに電圧が供給されるので、トランジスタＴＲ１はオンの状態を保つ。
【００３４】
また、トランジスタＴＲ１がオンの状態では、トランジスタＢＲＴ１のベース−エミッタ間の電圧が低く、トランジスタＢＲＴ１はオフである。これに伴い、トランジスタＢＲＴ１のコレクタに接続されたトランジスタＢＲＴ２のベースの電位が高いので、トランジスタＢＲＴ２においてはエミッタ−ベース間の電圧が低く、トランジスタＢＲＴ２もオフである。
このため、トランジスタＴＲ２においてはベースの電位が低く、エミッタ−ベース間の電圧が十分に高いので、トランジスタＴＲ２はオンとなる。これにより、トランジスタＴＲ２のコレクタからインバータ５３に対して、インバータ駆動電圧Ｖｃｃが供給される。
【００３５】
まとめると、高圧スイッチ５１Ａがオンの状態では、マイコン５２に対してLowレベルの異常信号ＦＳが出力され、また、インバータ５３に対して、ほぼ５ボルトのインバータ駆動電圧Ｖｃｃが供給される。
【００３６】
ここで、高圧スイッチ５１Ａが基準を超える圧力を検出してオフに切り替わると、フォトカプラＰＣ１の発光ダイオードが発光を停止し、フォトカプラＰＣ１の受光側がオフに切り替わる。これに伴い、トランジスタＴＲ１はベースの電位が降下することでオフになり、トランジスタＴＲ１のコレクタの電位が高くなる。
このため、マイコン５２に出力される異常信号ＦＳがHighレベルに切り替わる。
マイコン５２は、異常信号ＦＳがHighレベルに切り替わったことを検知して、高圧スイッチ５１Ａが基準を超える圧力を検出したと判別し、圧縮機１０Ｂを停止させる等の異常制御を行う。
【００３７】
また、トランジスタＴＲ１がオフに切り替わることで、トランジスタＢＲＴ１のベースの電位が高くなるので、トランジスタＢＲＴ１がオンに切り替わる。これに伴い、トランジスタＢＲＴ１のコレクタに接続されたダイオードＤ２に順方向電流が流れ、トランジスタＢＲＴ２のベースの電位が下がるので、トランジスタＢＲＴ２がオンに切り替わる。
そして、トランジスタＢＲＴ２のコレクタの電位が高くなることで、トランジスタＴＲ２がオフに切り替わり、インバータ５３へ出力されるインバータ駆動電圧Ｖｃｃの供給がオフにされる。
【００３８】
このように、高圧スイッチ５１Ａがオフに切り替わることで、インバータ５３に対するインバータ駆動電圧Ｖｃｃの供給が停止されるので、インバータ５３の動作が停止し、圧縮機１０Ｂが停止する。
上述のように、高圧スイッチ５１Ａがオフになった場合には、マイコン５２に対して出力される異常信号ＦＳがLowレベルからHighレベルに切り替わるので、これをマイコン５２が検知してインバータ５３を制御し、圧縮機１０Ｂを停止させる。
しかしながら、空気調和装置１においては、マイコン５２の制御プログラムのバグ等に起因して、マイコン５２が正常に動作しない可能性がある。さらに、マイコン５２が正常に動作できない状況において、圧縮機１０Ｂの吐出側配管における圧力が上記基準を超える可能性は、極めて低いものの、完全には否定できない。
本実施形態の空気調和装置１においては、高圧スイッチ５１Ａが基準を超える圧力を検出してオフに切り替わった場合に、インバータ５３に供給されるインバータ駆動電圧Ｖｃｃがオフにされ、インバータ５３が自動的かつ強制的に停止され、圧縮機１０Ｂが停止する。このため、マイコン５２が正常に動作中であるか否かを問わず、圧縮機１０Ｂの吐出側圧力の異常に速やかに対応して、圧縮機１０Ｂを停止させることができ、高い信頼性を確保できる。
【００３９】
さらに、スイッチ応答回路５５は、圧縮機１０Ｂを駆動する電源（本実施の形態では、交流２００ボルト）を切断するものではなく、インバータ５３を駆動するための、より低電圧の電源（本実施の形態では、直流５ボルト）をスイッチングする回路として容易に実現可能である。
【００４０】
また、マイコン５２の制御プログラムのバグ等により、万が一マイコン５２が正常に動作していなかったとしても、インバータ５３へのインバータ駆動電圧Ｖｃｃの供給が停止されるので、圧縮機１０Ｂを確実に停止させることができる。
【００４１】
さらに、スイッチ応答回路５５は、高圧スイッチ５１Ａの切り替わり動作に応じてマイコン５２に異常信号ＦＳを出力する回路に、インバータ５３へのインバータ駆動電圧Ｖｃｃの供給をオン／オフする回路を加えたものであり、これらの回路を一体とすることで効率的な回路構成となり、低コスト化が図れる。
【００４２】
また、高圧スイッチ５１Ａがオフに切り替わった後、高圧スイッチ５１Ａが配設された配管内の圧力が上記基準以下となり、高圧スイッチ５１Ａがオンに復帰した場合には、フォトカプラＰＣ１、トランジスタＴＲ１、ＴＲ２、ＢＲＴ１、ＢＲＴ２の各部の動作は、いずれも元の状態に復帰する。
このため、スイッチ応答回路５５からインバータ５３に対するインバータ駆動電圧Ｖｃｃの供給も復帰するので、インバータ５３および圧縮機１０Ｂが動作可能な状態となる。
【００４３】
この状態において、インバータ５３は、マイコン５２の制御に従って動作を開始し、或いは停止した状態を保つので、自動的に運転を再開するとは限らない。例えば、マイコン５２は、異常信号ＦＳがHighレベルからLowレベルに切り替わるまでの時間や空気調和装置１の各部の動作状態、或いは、室内ユニット３Ａ、３Ｂにおいて検出された温度等に基づいて、インバータ５３および圧縮機１０Ｂの運転を再開すべきか否かを判別することで、最適な異常制御を行う。
【００４４】
そして、マイコン５２がインバータ５３および圧縮機１０Ｂを動作させるか、停止させたままとするか、いずれの判別を行ったとしても、インバータ５３に対するインバータ駆動電圧Ｖｃｃの供給が復帰しているので、マイコン５２による制御には何ら支障を生じない。
【００４５】
このように、スイッチ応答回路５５は、高圧スイッチ５１Ａのオフ動作に対応してインバータ５３に対するインバータ駆動電圧Ｖｃｃの供給を停止させるとともに、高圧スイッチ５１Ａが復帰した場合には、マイコン５２の制御を妨げないようにインバータ駆動電圧Ｖｃｃの供給を速やかに復帰させる。
【００４６】
なお、上述した実施形態は、本発明の一実施態様を示すものであり、本発明の範囲内で任意に変形及び応用可能であることは勿論である。例えば、本実施形態の空気調和装置１では２台の室外ユニット１Ａ、１Ｂと、２台の室内ユニット３Ａ、３Ｂを備えるものとしたが、本発明はこれに限定されるものではなく、室外ユニットおよび室内ユニットの数は任意である。また、コントローラ１００とマイコン５２との機能を一つのマイコンにより実現することも可能である。さらに、本実施形態の空気調和装置１では、室外ユニット１Ａが圧縮機１０Ａ、１０Ｂの２台の圧縮機を備え、そのうち１台がインバータ駆動の圧縮機１０Ｂである構成について説明したが、本発明は、少なくとも１台のインバータ駆動の圧縮機を備え、その吐出側配管に高圧スイッチが配設された構成であれば適用可能であり、他の圧縮機の数等は任意である。また、図３に示したスイッチ応答回路５５の具体的な実装態様についても任意であり、ＩＣ（集積回路）を用いてもよく、その他の細部構成についても適宜変更可能であることは勿論である。
【図面の簡単な説明】
【００４７】
【図１】本発明の実施形態に係る空気調和装置の構成を示す図である。
【図２】圧縮機をインバータにより駆動する構成を示す図である。
【図３】スイッチ応答回路部の具体的な構成例を示す回路図である。
【符号の説明】
【００４８】
１  空気調和装置
１Ａ、１Ｂ  室外ユニット
３Ａ、３Ｂ  室内ユニット
１０Ａ、１０Ｂ、１０Ｃ  圧縮機
５０  圧縮機駆動制御部
５１Ａ  高圧スイッチ（圧力スイッチ）
５１Ｂ  高圧スイッチ
５２  マイコン（制御手段）
５３  インバータ
５４  電源回路
５５  スイッチ応答回路（電源切替回路）
１００  コントローラ
【図１】
0004738129.tif 000002
【図２】
0004738129.tif 000003
【図３】
0004738129.tif 000004